(57)【要約】【課題】嵩張らない折畳状態から簡単に組み立てることができ、強度にも優れた二段陳列台を提供する。【解決手段】天板３、前板４、後板５及び底板６を備えた四角筒状の高段部１と低段部２から成る厚紙製の二段陳列台において、高段部１及び低段部２の底板６から延出した側板７を、連結片８を介して後板５及び前板４にそれぞれ繋ぎ、側板７及び連結片８に斜折線９を入れ、その屈伸に伴い側板７が起伏するようにする。側板７を倒すと、扁平に折り畳むことができ、その折畳状態から側板７を起立させることにより、簡単に組み立てることができる。組立状態では、高段部１及び低段部２の天板３が側板７で支持されるので、天板３が撓みにくい。【選択図】　図２
2004024558.tif 000002
【特許請求の範囲】
【請求項１】
天板３、前板４、後板５及び底板６を備えた四角筒状の高段部１と低段部２から成る厚紙製の二段陳列台において、高段部１及び低段部２の底板６から延出した側板７を、連結片８を介して後板５及び前板４にそれぞれ繋ぎ、側板７及び連結片８に斜折線９を入れ、その屈伸に伴い側板７が起伏するようにしたことを特徴とする二段陳列台。
【発明の詳細な説明】
【０００１】
【発明の属する技術分野】
この発明は、商品の陳列に使用する厚紙製の二段陳列台に関するものである。
【０００２】
【従来の技術】
この種の陳列台として、図７及び図８に示すように、天板５３、前板５４、後板５５及び底板５６を備えた四角筒状の高段部５２と低段部５１から成り、高段部５２と低段部５１の底板５６同士を折目線５７を介して繋ぎ、高段部５２及び低段部５１の内部に、その断面対角の一方から他方へ向かう筋交板５８を設けたものが提案されている。
【０００３】
ここで、図７に示す陳列台の筋交板５８は、天板５３側から延出され、図８に示す陳列台の筋交板５８は、底板５６側から延出されている。そして、筋交板５８の先端は自由端となっているので、これらの陳列台は、高段部５２及び低段部５１を扁平に潰して折り畳むことができる。
【０００４】
【発明が解決しようとする課題】
しかしながら、上記のような陳列台では、高段部５２及び低段部５１の天板５３が前後方向の中間部で撓みやすく、強度を確保するため、材料の厚さを大きくすると、折目の反発が強くなって、扁平な折畳状態が保持されにくくなる。
【０００５】
そこで、この発明は、嵩張らない折畳状態から簡単に組み立てることができ、強度にも優れた二段陳列台を提供しようとするものである。
【０００６】
【課題を解決するための手段】
上記課題を解決するため、この発明は、天板、前板、後板及び底板を備えた四角筒状の高段部と低段部から成る二段陳列台において、高段部及び低段部の底板から延出した側板を、連結片を介して後板及び前板にそれぞれ繋ぎ、側板及び連結片に斜折線を入れ、その屈伸に伴い側板が起伏するようにしたのである。
【０００７】
この陳列台は、側板を倒すと、扁平に折り畳むことができ、その折畳状態から側板を起立させることにより、簡単に組み立てることができる。
【０００８】
また、組立状態において、高段部及び低段部の天板が側板で支持されるので、天板が撓みにくく、ある程度重量の大きな商品にも対応できる。
【０００９】
【発明の実施の形態】
まず、この発明の第１実施形態を図１乃至図３に基づいて説明する。
【００１０】
図１にブランクで示すように、この陳列台は、高段部材１１、低段部材１２及び底側部材１３から構成される。
【００１１】
高段部材１１及び低段部材１２のブランクでは、天板３に前板４及び後板５が連設され、高段部材１１の後板５及び低段部材１２の前板４には、継代片１４が設けられている。また、高段部材１１の前板４及び低段部材１２の後板５の端縁には、二箇所に切込１５が設けられている。
【００１２】
底側部材１３のブランクでは、前後に並べた２枚の底板６の両側に高段部及び低段部の側板７がそれぞれ連設され、高段部の側板７の後縁及び低段部の側板７の前縁に連結片８が連設されている。各側板７及び連結片８には中央側へ傾斜した斜折線９が入れられ、高段部及び低段部の側板７同士は繋がれている。
【００１３】
上記ブランクから陳列台を組み立てるには、図２に示すように、高段部材１１及び低段部材１２の天板３から前板４及び後板５を下方へ折り曲げ、高段部材１１と低段部材１２の前板４と後板５とを貼り合わせ、継代片１４を底側部材１３の底板６に貼り付け、四角筒状の高段部１及び低段部２を形成する。
【００１４】
次いで、側板７を起こし、連結片８を外側へ折り曲げて、その斜折線９より先端側の部分を高段部材１１の後板５及び低段部材１２の前板４にそれぞれ貼り付け、前後の側板７の繋部を切込１５に係合させる。
【００１５】
このように組み立てた陳列台は、図３に示すように、斜折線９の屈伸に伴い側板７を倒すと、扁平に折り畳むことができ、嵩張らない状態で商品と同梱して小売店へ輸送することができる。
【００１６】
また、折り畳みと逆の手順で側板７を起立させることにより、図２に示す状態へ簡単に組み立てることができるので、小売店で能率よく商品の陳列作業を行うことができる。
【００１７】
そして、図２に示す組立状態では、高段部１及び低段部２の天板３が側板７で支持されるので、商品の載置時に天板３が撓みにくくなる。
【００１８】
次に、この発明の第２実施形態を図４乃至図６に基づいて説明する。なお、ここでは、上記第１実施形態との相違についてのみ言及する。
【００１９】
図４に示すように、この陳列台のブランクでは、高段部材１１の前板４及び低段部材１２の後板５に継代片１６が連設され、切込１５は、それぞれ前板４及び後板５の端縁へかけて円弧状に打ち抜かれている。
【００２０】
このブランクから陳列台を組み立てる際には、図５に示すように、高段部１及び低段部２の形成時に、高段部材１１及び低段部材１２の継代片１６を、底側部材１３の各底板６に貼り付ける。
【００２１】
このような構造としても、図６に示すように、斜折線９の屈伸に伴い側板７を倒すと、扁平に折り畳むことができ、その折畳状態から逆の手順で側板７を起こすと、図５に示す状態へ簡単に組み立てることができる。
【００２２】
【発明の効果】
以上のように、この発明に係る二段陳列台は、高段部及び低段部の底板から延出した側板を、斜折線の屈伸に伴い起伏するようにしたので、扁平な折畳状態から側板を起こして簡単に組み立てることができ、その組立状態では、高段部及び低段部の天板が側板で支持されて、強度に優れたものとなる。
【図面の簡単な説明】
【図１】この発明の第１実施形態の各部材のブランクを示す図
【図２】同上の組立状態を示す斜視図
【図３】同上の折畳状態を示す斜視図
【図４】この発明の第２実施形態の各部材のブランクを示す図
【図５】同上の組立状態を示す斜視図
【図６】同上の折畳状態を示す斜視図
【図７】従来の二段陳列台の一例を示す斜視図
【図８】同上の他例を示す斜視図
【符号の説明】
１　高段部
２　低段部
３　天板
４　前板
５　後板
６　底板
７　側板
８　連結片
９　斜折線
１１　高段部材
１２　低段部材
１３　底側部材
１４　継代片
１５　切込
１６　継代片
【図１】
2004024558.tif 000003
【図２】
2004024558.tif 000004
【図３】
2004024558.tif 000005
【図４】
2004024558.tif 000006
【図５】
2004024558.tif 000007
【図６】
2004024558.tif 000008
【図７】
2004024558.tif 000009
【図８】
2004024558.tif 000010